【事件の表示】
　特願２００８−１１０１４０「偏芯量測定方法、偏芯量測定装置、および偏芯調整装置」拒絶査定不服審判事件〔平成２１年１１月　５日出願公開、特開２００９−２５８０４６〕について、次のとおり審決する。
【結　論】
　本件審判の請求は、成り立たない。
【理　由】
第１　手続の経緯 
　本願は，平成２０年４月２１日に特許出願されたものであって，平成２２年５月２７日付けで拒絶査定がされ，これに対し，同年８月２７日に拒絶査定不服審判の請求がなされるとともに，同日付けで手続補正がなされたものである。
　
　
第２　平成２２年８月２７日付けの手続補正について
　
１　平成２２年８月２７日付けの手続補正書による手続補正（以下「本件補正」という。）の内容
　
　本件補正は，本願の特許請求の範囲の請求項２を以下のとおり補正するものである。（請求項１および３については，補正されていない。）
　
（１）本件補正前の特許請求の範囲の請求項２
「【請求項２】 
　点対称に配置された複数の小穴を有したハルトマン板と，
　前記ハルトマン板に光を照射する光源手段と，
　前記ハルトマン板の小穴を通過した後，レンズ系を通過した光を撮像する撮像手段と，
　前記撮像手段で撮像したハルトマン画像に基づいて，前記ハルトマン板の複数の小穴を通過した複数の光線が形成するスポットの位置を求める画像処理手段と，
　前記算出した複数のスポット位置の分布からコマ収差に相当する成分を抽出し，当該成分をレンズ偏芯量として算出する演算手段とを備え，
　前記ハルトマン板が有する複数の小穴は，ハルトマン板の中心点と，当該中心点を点対称の中心とする２点の３点に配置され，
　前記取得したハルトマン画像において
　前記点対称の両端の２点に対応する２つのスポット位置が形成する直線の中点と，前記中心点対応する１つのスポット位置とのずれ量から前記レンズ偏芯量を算出する演算手段とを備えることを特徴とする，偏芯量測定装置。」
　
（２）本件補正後の特許請求の範囲の請求項２（下線は，補正箇所を示す。）
「【請求項２】 
　点対称に配置された複数の小穴を有したハルトマン板と，
　前記ハルトマン板に光を照射する光源手段と，
　前記ハルトマン板の小穴を通過した後，レンズ系を通過した光を撮像する撮像手段と，
　前記撮像手段で撮像したハルトマン画像に基づいて，前記ハルトマン板の複数の小穴を通過した複数の光線が形成するスポットの位置を求める画像処理手段と，
　前記算出した複数のスポット位置の分布からコマ収差に相当する成分を抽出し，当該成分をレンズ偏芯量として算出する演算手段とを備え，
　前記ハルトマン板が有する複数の小穴は，ハルトマン板の中心点と，当該中心点を点対称の中心とする２点の３点に配置され，
　前記取得したハルトマン画像において
，
　前記点対称の両端の２点に対応する２つのスポット位置が形成する直線の中点と，前記中心点
に
　
２　本件補正の目的の適否について
　本件補正において，「前記取得したハルトマン画像において」の後ろに「，」を付加する補正，および，「前記中心点対応する」を「前記中心点に対応する」とする補正は，請求項２の記載を明りょうにするものである。そうすると，本件補正は，特許法第１７条の２第５項第４号の明りょうでない記載の釈明を目的とするものに該当する。
　
　
第３　本願発明について
　本件補正は，上記のとおり適法になされたものと認められるので，本願の請求項１〜３に係る発明は，その特許請求の範囲の請求項１〜３に記載された事項により特定されるとおりのものと認められ，そのうち請求項２は，前記「第２　１（２）」のとおりである。（以下，請求項２に係る発明を「本願発明」という。）　
　
　
第４　引用刊行物の記載事項
　本願出願前に頒布され，原査定の拒絶の理由において引用された刊行物である特許第３２０８９０２号公報（以下，「引用例１」という。）には，図面とともに，次の事項が記載されている。なお，以下において，下線は当審にて付与したものである。 
（１−ア）
「【特許請求の範囲】
【請求項１】  
第１，第２レンズ系の光軸が鉛直方向となる配置で前記第１レンズ系を固定するとともに前記第２レンズ系を微動させて前記第１，第２レンズ系の光軸を一致させるレンズ系光軸調整装置において
前記第１，第２レンズ系に中心光線及び該中心光線に平行な３本以上の輪帯光線を照射する手段と
前記第１，第２レンズ系を通過した前記中心光線及び輪帯光線を受光して，該中心光線及び輪帯光線によりそれぞれ形成された像に対応する信号を生成するとともに前記信号に基づいて各像の照度を求める手段と
前記照度の分布から輪帯光線の像の重心座標と中心光線の像の中心座標を求めて，その差から得られる軸上コマ量に応じて微調心補正量を求める手段と
前記微調心補正量に基づいて前記第２レンズ系を光軸と垂直な方向に微動させる手段と，を具備することを特徴とするレンズ系光軸調整装置
　
（１−イ）
「【発明の詳細な説明】
【０００１】
【産業上の利用分野】
本発明は，レンズ系の光軸調整装置
に関するものである
　
（１−ウ）
「【０００９】本発明は，このような問題点を解決するため，高速に点像の位置を検出でき，レンズ系の微動調整を自動的に行うことが可能となり，調整後のレンズ系の位置をそのまま維持し接着固定できるレンズ系光軸調整装置を提供することを目的とする。」
　
（１−エ）
「【００１１】
【作用】このようにすれば，第１，第２レンズ系の光軸が一致していない場合，平行な中心光線及び３本以上の輪帯光線が第１，第２レンズ系を通過すると，中心光線の通過する中心位置と輪帯光線の重心位置との間にずれが生じる。このずれを定量的に測定するため，受光面において中心光線及び輪帯光線によりそれぞれ形成された各像の照度を求め，この照度の分布から得られる中心光線の中心座標と輪帯光線の重心座標の差を軸上コマ量として算出することができる。この軸上コマ量に応じて求めた微調心補正量に基づいて，
第２レンズ系を光軸と垂直な方向に繰り返し微動させることにより第１，第２レンズ系の光軸を自動的に一致させる
　
（１−オ）
「【００１２】
【実施例】本発明を実施したレンズ系光軸調整装置の概略構成図を図１に示し説明する。図１において，光源１の左方に０．６μｍφ程度のピンホールを施したピンホール板２を設置し，その左方にＮＤフィルタ３を設置し，更に左方にコリメータレンズ４を設置し，更に左方にミラー５を設置する。
光源１が発した光のうちピンホール板２を通過した光
平行光Ｒ’となる
【００１３】ミラー５の下方に不透明で
平板状のチャート１７
平行光Ｒ’はチャート１７によって遮られ，９本の光線だけがチャート１７の中心点と，これを中心とする輪帯上において等間隔に並ぶ８点を通過し，これらが対象レンズ系Ｔを通過して任意の位置の像面１８に結像する
・・・
【００１５】ＣＣＤカメラ１３は受像面上に得られた像をビデオ信号Ｓ１に変換しこれを画像処理部１４に与える。画像処理部１４は，ビデオ信号Ｓ１に基づいて，照射点に位置する画素のように所定の閾値より照度の高い画素には『１』を与え，その他の照度の低い画素には『０』を与えて各画素における照度の２値化を行い，各画素の２値『１』，『０』で与えられる照度の情報を有する信号Ｓ２を生成し演算処理部１５に与える。
・・・
【００２０】次に，図１に示したレンズ系光軸調整装置の結像に関する図を図２に示す。
チャート１７は，その面と光軸とが交差する中心点にピンホールＭ０を施し，さらにこの中心点を中心とする輪帯ＲＩＮ上において等間隔に並ぶ８点にピンホールＭ１，Ｍ２，Ｍ３，Ｍ４，Ｍ５，Ｍ６，Ｍ７，Ｍ８を施したものである
【００２１】
平行光Ｒ’のほとんどはチャート１７によって遮蔽され，光線Ｒ０，Ｒ１，Ｒ２，Ｒ３，Ｒ４，Ｒ５，Ｒ６，Ｒ７，Ｒ８だけが選択されて，９個のピンホールＭ０，Ｍ１，Ｍ２，Ｍ３，Ｍ４，Ｍ５，Ｍ６，Ｍ７，Ｍ８を通過する。光線Ｒ０〜Ｒ８は，レンズ系８，１０の合成焦点Ｆ’に収束する。１８は，このとき任意の位置に形成される像面である
・・・
【００２３】・・・しかし，
レンズ系８の光軸がレンズ系１０乃至全光学系の光軸に対してずれている場合，輪帯上の照射点Ｌ１〜Ｌ８の重心位置と中心の照射点Ｌ０の中心点はずれてしまう
【００２４】・・・ＣＣＤカメラ１３の受像面における像の例を図５に示す。・・・図５において，Ａは中心の照射点の中心座標，Ｂは輪帯上の照射点の重心座標，Ｃは受像面中央の基準座標である。受像面上にＸ軸が横方向でＹ軸が縦方向の座標系Ｚ２を設定し，受像面上の各画素はこの座標系Ｚ２に基づいて座標が与えられるものとする。
【００２５】ステップ＃１０において，演算に用いるパラメータをすべて『０』に設定し装置を初期化し，ステップ＃２０において，信号Ｓ２を取り込み各画素の２値化された照度を得て，照度『１』の隣接する画素群を受像面の照射点として認識しその数Ｎを求める。
・・・
【００３５】ステップ＃１４０において，信号Ｓ６をフォーカス軸２３に与えて，図５（ｄ）に示すようにＣＣＤカメラ１３の受像面に得られる像の中に９個の照射点を納めた状態でできるだけ大きい像が得られる位置までフォーカス軸２３を上又は下に移動させる。更に，このときの中心の照射点２８にある画素すべてのＸ座標Ｘ０１〜Ｘ０ｎ，Ｙ座標Ｙ０１〜Ｙ０ｎの平均を中心座標Ａ（ＸO，ＹO ）として再度算出し直す。
【００３６】ステップ＃１５０において，中心の照射点２８を除く輪帯ＲＩＮ上の８個の照射点の画素すべてのＸ座標ＸＲ１〜ＸＲｍ，Ｙ座標ＹＲ１〜ＹＲｍの平均を求めて輪帯ＲＩＮの重心２９における重心座標Ｂ（ＸＧ，ＹＧ）を得る。即ち，重心座標（ＸＧ，ＹＧ）は次式で得られる。
ＸＧ＝ＳＵＭ（ＸＲ１〜ＸＲｍ）／ｍ，ＹＧ ＝ＳＵＭ（ＹＲ１〜ＹＲｍ）／ｍ
【００３７】ステップ＃１６０において，中心の照射点２８における中心座標Ａ（ＸO，ＹO）と輪帯ＲＩＮの重心２９における重心座標Ｂ（ＸＧ ，ＹＧ）との偏差（ＸＧ−ＸO，ＹＧ−ＹO ）を軸上コマ量（ΔＸ，ΔＹ）として算出する。
・・・
【００３９】ステップ＃１８０において，微調心二軸２１のＸ方向の軸に沿ってΔＸのｋ倍（ｋは定数）だけ移動させさらに，微調心二軸２１のＹ方向の軸に沿ってΔＹのｋ倍だけ移動させるため，微調心補正量を（ｋΔＸ，ｋΔＹ）として算出する。
【００４０】尚，このｋの値は，装置固有の値であるため以下のように予め測定しておく。・・・
【００４２】ステップ＃１９０において，この微調心補正量（ｋΔＸ，ｋΔＹ）の情報を持つ信号Ｓ４を生成しこれを微調心二軸２１に与えて微動させ，これに固定された調整治具７によってレンズ系８を僅かだけずらす。このとき，ＣＣＤカメラ１３の受像面の像は図５（ｄ）の状態から中心座標Ａに重心座標Ｂが近づき，このステップを繰り返すうちに図５（ｅ）のように基準座標Ｃ近傍で中心座標Ａ，重心座標Ｂがほぼ重なる状態になる。・・・」
　
（１−カ）
「【００５３】また，
輪帯ＲＩＮ上のピンホール数を８個としたが，３個以上で有れば幾つでもよく数が多いほど精度が向上する
　
　上記摘記事項の記載，特に，摘記事項（１−ア）および（１−オ）からみて，引用例１には，以下の発明が記載されていると認められる。
　
「第１レンズ系１０，第２レンズ系８の光軸が鉛直方向となる配置で前記第１レンズ系１０を固定するとともに前記第２レンズ系８を微動させて前記第１レンズ系１０，第２レンズ系８の光軸を一致させるレンズ系光軸調整装置において，
光源１と，
中心点にピンホールＭ０を施し，さらにこの中心点を中心とする輪帯ＲＩＮ上において等間隔に並ぶ８点にピンホールＭ１〜Ｍ８を施した平板状のチャート１７と，
光源１からの平行光Ｒ’が，チャート１７の中心点のピンホールＭ０と，これを中心とする輪帯上において等間隔に並ぶ８点のピンホールＭ１〜Ｍ８を通過し，これらが第２レンズ系８および第１レンズ系１０を通過し，通過した中心光線Ｒ０及び８本の輪帯光線Ｒ１〜Ｒ８を受光して，該中心光線Ｒ０及び輪帯光線Ｒ１〜Ｒ８によりそれぞれ形成された像に対応する信号を生成するとともに前記信号に基づいて各像の照度を求める手段と，
前記照度の分布から輪帯光線Ｒ１〜Ｒ８の像の重心座標Ｂ（ＸＧ，ＹＧ）と中心光線の像の中心座標Ａ（Ｘ０，Ｙ０）を求めて，その差から得られる軸上コマ量に応じて微調心補正量（ｋΔＸ，ｋΔＹ）を求める手段と，
前記微調心補正量に基づいて前記第２レンズ系８を光軸と垂直な方向に微動させる手段と，
を具備するレンズ系光軸調整装置。」（以下，「引用発明」という。）
　
　
第５　対比・判断
　
１　対比 
　本願発明と引用発明とを対比する。
　
ア　引用発明の「中心点にピンホールＭ０を施し，さらにこの中心点を中心とする輪帯ＲＩＮ上において等間隔に並ぶ８点にピンホールＭ１〜Ｍ８を施した平板状のチャート１７」と，本願発明の「点対称に配置された複数の小穴を有したハルトマン板」とは，「点対称に配置された複数の小穴を有した板」である点で共通する。
　
イ　引用発明では，「光源１からの平行光Ｒ’が，チャート１７の中心点のピンホールＭ０と，これを中心とする輪帯上において等間隔に並ぶ８点のピンホールＭ１〜Ｍ８を通過し」ているのであるから，引用発明の「光源１」は，チャート１７に光を照射しているといえる。
　そうすると，引用発明の「光源１」と，本願発明の「前記ハルトマン板に光を照射する光源手段」とは，「前記板に光を照射する光源手段」である点で共通する。
　
ウ　引用発明の「第１レンズ系１０，第２レンズ系８」は，本願発明の「レンズ系」に相当する。また，引用発明では，「光源１からの平行光Ｒ’が，チャート１７の中心点のピンホールＭ０と，これを中心とする輪帯上において等間隔に並ぶ８点のピンホールＭ１〜Ｍ８を通過し，これらが第２レンズ系８および第１レンズ系１０を通過し，通過した中心光線Ｒ０及び８本の輪帯光線Ｒ１〜Ｒ８を受光して，該中心光線Ｒ０及び輪帯光線Ｒ１〜Ｒ８によりそれぞれ形成された像に対応する信号を生成する」のであるから，引用発明は，チャート１７のピンホールＭ０〜Ｍ８を通過し，レンズ系を通過した光を撮像しているといえる。
　そうすると，引用発明の「光源１からの平行光Ｒ’が，チャート１７の中心点のピンホールＭ０と，これを中心とする輪帯上において等間隔に並ぶ８点のピンホールＭ１〜Ｍ８を通過し，これらが第２レンズ系８および第１レンズ系１０を通過し，通過した中心光線Ｒ０及び８本の輪帯光線Ｒ１〜Ｒ８を受光して，該中心光線Ｒ０及び輪帯光線Ｒ１〜Ｒ８によりそれぞれ形成された像に対応する信号を生成する」点と，本願発明の「前記ハルトマン板の小穴を通過した後，レンズ系を通過した光を撮像する撮像手段」を備える点とは，「前記板の小穴を通過した後，レンズ系を通過した光を撮像する撮像手段」を備える点で共通する。
　
エ　引用例１に関する上記摘記事項（１−オ）には「【００２４】・・・ＣＣＤカメラ１３の受像面における像の例を図５に示す。・・・図５において，Ａは中心の照射点の中心座標，Ｂは輪帯上の照射点の重心座標，Ｃは受像面中央の基準座標である。・・・【００２５】・・・信号Ｓ２を取り込み各画素の２値化された照度を得て，照度『１』の隣接する画素群を受像面の照射点として認識し・・・【００３５】・・・中心の照射点２８にある画素すべてのＸ座標Ｘ０１〜Ｘ０ｎ，Ｙ座標Ｙ０１〜Ｙ０ｎの平均を中心座標Ａ（ＸO，ＹO ）として再度算出し直す。【００３６】ステップ＃１５０において，中心の照射点２８を除く輪帯ＲＩＮ上の８個の照射点の画素すべてのＸ座標ＸＲ１〜ＸＲｍ，Ｙ座標ＹＲ１〜ＹＲｍの平均を求めて輪帯ＲＩＮの重心２９における重心座標Ｂ（ＸＧ，ＹＧ）を得る。・・・」と記載されている。
　そうすると，引用発明の「前記信号に基づいて各像の照度を求める手段」は，撮像手段で撮像した画像に基づいて，画像処理により，チャート１７のピンホールＭ０〜Ｍ８を通過した複数の光線が形成する照射点の照度を求めているといえるから，本願発明の「前記撮像手段で撮像したハルトマン画像に基づいて，前記ハルトマン板の複数の小穴を通過した複数の光線が形成するスポットの位置を求める画像処理手段」とは，「前記撮像手段で撮像した画像に基づいて，前記板の複数の小穴を通過した複数の光線が形成するスポットの位置または照度を求める画像処理手段」である点で共通する。
　
オ　引用例１に関する上記摘記事項（１−オ）には「【００３７】・・・中心の照射点２８における中心座標Ａ（ＸO，ＹO）と輪帯ＲＩＮの重心２９における重心座標Ｂ（ＸＧ ，ＹＧ）との偏差（ＸＧ−ＸO，ＹＧ−ＹO ）を軸上コマ量（ΔＸ，ΔＹ）として算出する。・・・【００３９】・・・微調心二軸２１のＸ方向の軸に沿ってΔＸのｋ倍（ｋは定数）だけ移動させさらに，微調心二軸２１のＹ方向の軸に沿ってΔＹのｋ倍だけ移動させるため，微調心補正量を（ｋΔＸ，ｋΔＹ）として算出する。・・・【００４２】・・・この微調心補正量（ｋΔＸ，ｋΔＹ）の情報を持つ信号Ｓ４を生成しこれを微調心二軸２１に与えて微動させ，これに固定された調整治具７によってレンズ系８を僅かだけずらす。このとき，ＣＣＤカメラ１３の受像面の像は図５（ｄ）の状態から中心座標Ａに重心座標Ｂが近づき，このステップを繰り返すうちに図５（ｅ）のように基準座標Ｃ近傍で中心座標Ａ，重心座標Ｂがほぼ重なる状態になる。」と記載されている。
　そうすると，引用発明の「前記照度の分布から輪帯光線Ｒ１〜Ｒ８の像の重心座標Ｂ（ＸＧ，ＹＧ）と中心光線の像の中心座標Ａ（Ｘ０，Ｙ０）を求めて，その差から得られる軸上コマ量に応じて微調心補正量（ｋΔＸ，ｋΔＹ）を求める手段」は，照射点の照度の分布から軸上コマ量，すなわち，コマ収差を求め，当該コマ収差に応じて微調心補正量を算出しているといえる。また，引用例１では，微調心補正によって中心座標Ａと重心座標Ｂとがほぼ重なる，すなわち，レンズ偏心が補正されるのであるから，引用発明の「微調心補正量」は，本願発明の「レンズ偏心量」に相当するものであることが明らかである。
　してみると，引用発明の「前記照度の分布から輪帯光線Ｒ１〜Ｒ８の像の重心座標Ｂ（ＸＧ，ＹＧ）と中心光線の像の中心座標Ａ（Ｘ０，Ｙ０）を求めて，その差から得られる軸上コマ量に応じて微調心補正量（ｋΔＸ，ｋΔＹ）を求める手段」と，本願発明の「前記算出した複数のスポット位置の分布からコマ収差に相当する成分を抽出し，当該成分をレンズ偏芯量として算出する演算手段」とは，「前記算出した複数のスポットの位置または照度の分布からコマ収差に相当する成分を抽出し，当該成分をレンズ偏芯量として算出する演算手段」である点で共通する。
　
カ　引用発明の「レンズ系光軸調整装置」は，微調心補正量，すなわち，レンズ偏心量を求めるものであるから，本願発明の「偏芯量測定装置」に相当する。
　してみると，両者は， 
　
（一致点）
「点対称に配置された複数の小穴を有した板と，
　前記板に光を照射する光源手段と，
　前記板の小穴を通過した後，レンズ系を通過した光を撮像する撮像手段と，
　前記撮像手段で撮像した画像に基づいて，前記板の複数の小穴を通過した複数の光線が形成するスポットの位置または照度を求める画像処理手段と，
　前記算出した複数のスポットの位置または照度の分布からコマ収差に相当する成分を抽出し，当該成分をレンズ偏芯量として算出する演算手段とを備える，偏芯量測定装置。」
の点で一致し，以下の点で相違する。
　
（相違点１）本願発明では，点対称に配置された複数の小穴を有した板が「ハルトマン板」であり，撮像手段で撮像した画像が「ハルトマン画像」であるのに対し，引用発明では，点対称に配置された複数の小穴を有した板が「チャート１７」であって，ハルトマン板であるかが不明であり，また，撮像手段で撮像した画像が「ハルトマン画像」であるかが不明な点。
　
（相違点２）本願発明では，画像処理手段が，前記板の複数の小穴を通過した複数の光線が形成する「スポットの位置」を求めるものであり，演算手段が，前記算出した複数の「スポット位置」の分布からコマ収差に相当する成分を抽出しているのに対し，引用発明では，画像処理手段が，前記板の複数の小穴を通過した複数の光線が形成する「スポットの照度」を求めるものであり，演算手段が，前記算出した複数の「スポット照度」の分布からコマ収差に相当する成分を抽出している点。
　
（相違点３）本願発明では，前記板が有する複数の小穴は，「板の中心点と，当該中心点を点対称の中心とする２点の３点に配置され」ており，演算手段が，「前記点対称の両端の２点に対応する２つのスポット位置が形成する直線の中点と，前記中心点対応する１つのスポット位置とのずれ量から」前記レンズ偏芯量を算出しているのに対し，引用発明では，前記板が有する複数の小穴は，板の中心点と，当該中心点を点対称の中心とする輪帯ＲＩＮ上において等間隔に並ぶ８点の９点に配置されており，演算手段が，輪帯光線Ｒ１〜Ｒ８の像の重心座標Ｂ（ＸＧ，ＹＧ）と中心光線の像の中心座標Ａ（Ｘ０，Ｙ０）との差から前記レンズ偏心量を算出している点。
　
２　相違点１について
　特開平２−２３８３３８号公報の第１頁左下欄８〜１０行に「前記レンズによつて得られる平行光束中に等間隔に配置されたピンホールを持つ隔板（ハルトマン板）」と記載され，特開平７−１４６２１３号公報の段落【０００３】に「この従来例では，点光源１０１を発した光をコリメ−タレンズ１０２で平行光として，絞り板１０３を照射する。絞り板１０３は適当な位置に孔が設けらたハルトマン板で構成されており，・・・」と記載されているように，ピンホールを持つ隔板は，ハルトマン板であるといえる。
　他方，引用発明の「チャート１７」も，ピンホールを持つ隔壁であるから，ハルトマン板であるといえる。
　してみると，上記相違点１は，実質的な相違点ではない。
　仮に，上記相違点１が実質的な相違点であったとしても，ピンホールを持つ隔壁として，ハルトマン板を使用することは，例えば，上記特開平２−２３８３３８号公報および上記特開平７−１４６２１３号公報にも記載されているように，本願出願前に周知の事項であり，引用発明の「チャート１７」も「ピンホールを持つ隔壁」であるから，引用発明に上記周知技術を適用し，「チャート１７」を「ハルトマン板」とすることは，当業者であれば，何ら困難性はなく，容易に想到し得る事項であるといえる。
　
３　相違点２について
　引用発明では，中心光線の像の中心座標Ａ（Ｘ０，Ｙ０）を求め，また，輪帯光線Ｒ１〜Ｒ８によりそれぞれ形成された各像の照度の分布から輪帯光線Ｒ１〜Ｒ８の像の重心座標Ｂ（ＸＧ，ＹＧ）を求めている。
　他方，複数のスポット像の重心座標を求めるに際し，各スポット像の位置の分布から重心座標を求めるようにすることは，例えば，特開２００６−７１４１０号公報に「【００２８】コマ収差の補正
  また，演算装置１７は，２つの光束群の像Ｚ０，Ｚ１の中心座標Ｚ０Ｃ，Ｚ１Ｃを次の式（3），（4），（5），（6）を用いて算出する（図５参照）。
Ｚ０ＣのＸ座標：Ｚ０ＣＸ＝（Ｚｃ０１〜Ｚｃ０８のＸ座標の合計）／８  …(3)
Ｚ０ＣのＹ座標：Ｚ０ＣＹ＝（Ｚｃ０１〜Ｚｃ０８のＹ座標の合計）／８  …(4)
Ｚ１ＣのＸ座標：Ｚ１ＣＸ＝（Ｚｃ１１〜Ｚｃ１８のＸ座標の合計）／８  …(5)
Ｚ１ＣのＹ座標：Ｚ１ＣＹ＝（Ｚｃ１１〜Ｚｃ１８のＹ座標の合計）／８  …(6)
  なお，この算出においても，各々のスポット像の中心座標が用いられることはいうまでもない。」と記載されているように，本願出願前における常套手段である。
　してみると，引用発明において，輪帯光線Ｒ１〜Ｒ８の像の重心座標Ｂ（ＸＧ，ＹＧ）を求めるに際して，各像の照度の分布から重心座標を求めるのに代えて，上記常套手段のように，各像の位置の分布から重心座標を求めるようにすることは，当業者が適宜なし得る事項であるといえる。
　そして，引用発明において，上記のとおり，中心光線の像の中心座標Ａ（Ｘ０，Ｙ０）を求め，輪帯光線Ｒ１〜Ｒ８の像の位置の分布から重心座標を求めるようにすれば，画像処理手段は，各像の位置，すなわち，「スポットの位置」を求めるものとなり，演算手段は，前記算出した複数の「スポット位置」の分布からコマ収差に相当する成分を抽出するものとなることが明らかである。
　
４　相違点３について
　レンズは，一般的に，光軸に垂直な像面に像を結像させるものであるから，レンズ特性に測定にあたっては，二次元的，すなわち，像面上のＸ軸方向およびＹ軸方向について，特性の測定を行うことが通常である。しかし，例えば，特開平１１−１８３３１７号公報に「【００２３】図３の（ａ）は上記検出系の配置例であり，（ｂ）はそれに対応する出力のグラフを示している。（ａ）に示すように，各検出系は，例えば上記光軸ＡＸと直角に交わる面上に，直線（例えばＸ−Ｘ′）上に配置される。その内，ａ１で示す中央の位置は光軸ＡＸ上でもあり，その左右のａ２，ａ３ はａ１を中心とする光軸ＡＸ周りの円周上で前記直線と交わった位置である。そして，ａ１には図１に示す軸上用の検出系４が配置され，ａ２，ａ３にはｗｉｄｅ周辺用の検出系４′又はｔｅｌｅ周辺用の検出系４″のいずれか一種類として配置され，広角端或いは望遠端を基準としたレンズ検査が行われる。【００２４】（ｂ）に示すように，各位置に配置された検出系に対応する出力は，太い一点鎖線で示されるチャート面から実際の像面までの距離で表され，ａ１，ａ２，ａ３に対してそれぞれｄ１，ｄ２，ｄ３となっている。また，グラフの各点を補間したスプライン曲線により実際の像面を表している。ここで，周辺位置同士のチャート面からの距離の差Ｋをいわゆる片ボケと呼んでおり，中央位置と出力が大きい方の周辺位置とのチャート面からの距離の差からＫ／２を引いた値ＤＭがいわゆる像面湾曲である。」と記載されているように，レンズ特性の測定にあたって，一次元的，すなわち，像面上の一軸方向，例えば，Ｘ軸方向のみについて測定することも可能であることは，技術常識である。
　そして，引用発明は，「微調心補正量（ｋΔＸ，ｋΔＹ）を求める」ものであるから，二次元的に，第１レンズ系１０と第２レンズ系８との位置ずれを求めるものであるが，上記技術常識を考慮すれば，一次元的，すなわち，像面上の一軸方向，例えば，Ｘ軸方向のみについて，位置ずれを求めることも，当業者にとって，何ら困難性を有する事項ではない。
　そして，引用発明において，上記のとおり，Ｘ軸方向のみについて，位置ずれを求めるような場合には，Ｘ軸方向の収差を求めればよいから，引用発明の「前記照度の分布から輪帯光線Ｒ１〜Ｒ８の像の重心座標Ｂ（ＸＧ，ＹＧ）と中心光線の像の中心座標Ａ（Ｘ０，Ｙ０）を求めて，その差から得られる軸上コマ量に応じて微調心補正量（ｋΔＸ，ｋΔＹ）を求める手段」は，前記照度の分布から輪帯光線Ｒ１〜Ｒ８の像の重心座標ＢのＸ座標ＸＧと中心光線の像の中心座標ＡのＸ座標Ｘ０を求めて，その差から得られる軸上コマ量に応じて微調心補正量ｋΔＸを求める手段となる。そして，輪帯光線Ｒ１〜Ｒ８の像の重心座標ＢのＸ座標ＸＧを求めるためには，中心点のピンホールＭ０に対して点対称に配置されたＸ軸上の２つのピンホール（引用例１の【図２】のＭ３およびＭ７）の輪帯光線の像（引用例１の【図２】のＬ３およびＬ７）があれば十分であり，それ以外の像は精度向上に資するものの不可欠なものではない。
　してみると，引用発明において，上記のとおり，Ｘ軸方向のみについて，位置ずれを求めるような場合において，中心点のピンホールＭ０に対して点対称に配置されたＸ軸上の２つのピンホールの輪帯光線の像の重心座標と，中心光線の像の中心座標を求めて，その差から得られる軸上コマ量に応じて微調心補正量を求めるようにすること，すなわち，前記板が有する複数の小穴は，「板の中心点と，当該中心点を点対称の中心とする２点の３点に配置され」ており，演算手段が，「前記点対称の両端の２点に対応する２つのスポット位置が形成する直線の中点と，前記中心点対応する１つのスポット位置とのずれ量から」Ｘ軸方向のレンズ偏芯量を算出するようにすることは，当業者が適宜なし得る事項であるといえる。
　
　そして，本願明細書に記載された本願発明によってもたらされる効果は，引用例１および周知の技術的事項から，当業者であれば予測することができる程度のものであり，格別顕著なものとはいえない。  
　
３　まとめ  
　上記のとおり，本願発明は，引用発明および周知技術に基づいて，当業者が容易に発明をすることができたものである。 
　
　
第６　むすび　 
　以上のとおり，本願発明は，引用発明および周知技術に基づいて当業者が容易に発明をすることができたものであるから，特許法第２９条第２項の規定により特許を受けることができない。　
　
　そうすると，他の請求項について言及するまでもなく，本願は，拒絶すべきものである。
　
　よって，結論のとおり審決する。